(57)【要約】【課題】  ヘッドバンドの無いヘッドホン装置の非使用状態で導出されているプラグ付コード及び渡りコードを１つの巻回手段内に収納させて、機構部品数の低減を図る。【解決手段】  左右ヘッドホンハウジング１Ｌ、１Ｒの内の一方にリール１９、１９ａにぜんまい２０等の巻回手段とラッチ２７等の係止手段を配設し、リール１９、１９ａのフランジ間に上述のプラグ付コード３及び渡りコード９を同時に巻回収納する。【選択図】  図１ 
2005328480.tif 000002
【特許請求の範囲】
【請求項１】
左右のヘッドホンハウジング内の一方にコード巻取手段を有し、プラグ付コードを該コード巻取手段に設けたヘッドハウジング内に巻き取り可能となすと共に該左右ヘッドハウジング間を結ぶ渡りコードを有するヘッドホン装置に於いて、
上記ヘッドホンハウジング内に設けた上記コード巻取手段によって上記プラグ付コード及び上記渡りコードを同時に巻回、取出し可能と成したことを特徴とするヘッドホン装置。
【請求項２】
前記巻取手段は、ぜんまいで巻き込まれるリール及び係止手段で構成したことを特徴とする請求項１記載のヘッドホン装置。
【請求項３】
前記プラグ付コードと前記左右ヘッドホンハウジング間を結ぶ前記渡りコードを切れ目の無い１本の導体コードで構成したことを特徴とする請求項１又は請求項２記載のヘッドホン装置。
【請求項４】
前記巻取手段のリールに前記プラグ付コード及び前記渡りコードを該リールの各々独立した空間に巻回して成ることを特徴とする請求項１乃至請求項３のいずれか１項記載のヘッドホン装置。
【請求項５】
前記巻取手段のリールの１つの空間に前記プラグ付コード及び前記渡りコードを一諸に巻回する様に成したことを特徴とする請求項１乃至請求項３のいずれか１項記載のヘッドホン装置。
【請求項６】
前記巻取手段のリールに巻回する前記プラグ付コード及び前記渡りコードを前記ヘッドホンハウジングに巻回する巻込口を独立に設けたことを特徴とする請求項１乃至請求項５のいずれか１項記載のヘッドホン装置。
【発明の詳細な説明】
【技術分野】
【０００１】
本発明はヘッドホンバンドを設けないヘッドホンのハウジング内にコード巻回手段を有するヘッドホン装置に係わり、特に、ヘッドホンハウジング内の電気−音響変換手段（以下ドライバーユニット：Ｄ／Ｕと記す）に電気信号を供給するプラグ付コード及び左右ヘッドホンハウジング間を結ぶ渡りコードを巻回手段で巻回する様に成したヘッドホン装置に関する。
【背景技術】
【０００２】
携帯用音響機器に於いて、ＣＤ等の記録媒体のソフトを屋外で聴く場合に用いるヘッドホン装置としては種々のものが市販されている。特に、携帯に便利なようにヘッドバンドを設けることなく左右のヘッドホン装置内にＤＵを配すると共に左右のＤＵ間を結ぶ渡りコード及び左右のいずれかのＤＵから導出させたコードに入力信号を供給するためのプラグ付コードをヘッドホンハウジング内に設けた巻取手段により非使用状態で巻回収納させるように成したヘッドホン装置が数多く利用されている。
【０００３】
上述の如き、コード巻回手段を有するヘッドホン装置としては２種類のヘッドホン装置が公知である。その一方の種類は左右１対のヘッドホンハウジングの一方にのみコード巻回手段を有し、上述のプラグ付コードのみを巻回収納するものであり、他の種類は左右のヘッドホンハウジング内に巻回手段を有し、上述のプラグ付コードを一方のヘッドホンハウジングに他方のヘッドハウジングに上述の渡りコードを巻回収納させる様にしたものである。
【０００４】
上述のプラグ付コード及び渡りコードをヘッドホンハウジング内に巻回収納するようにしたヘッドホン装置が特許文献１に開示されている。図７は特許文献１に開示されているヘッドホン装置の外観図を示すものであり、図７に於いて、左右のヘッドホンハウジング１Ｌ、１Ｒは前後のハウジングで構成され、このヘッドホンハウジング１Ｌ、１Ｒ内には上述のＤＵが配設されてヘッドホンハウジング１Ｌ、１Ｒの前部ハウジングに穿った複数の透孔を介して、ＤＵから発生した信号を放音する。
【０００５】
又、後部でコード巻回手段を有するハウジング内には中心に立設した枢軸にぜんまいを巻回すると共にリール状に形成したリールハブの上下フランジ間にプラグ付コード及び渡りコードを巻回収納するように成されている。
【０００６】
図７で左右ヘッドホンハウジングの後部ハウジング周辺には２個の支軸部５、５が設けられ、この支軸部５、５間に略Ｃ型に形成された耳掛け４が回動自在に枢着されている。７は後部ハウジングの周辺に設けたプラグ２の保持部を形成する突出部で、この突出部７に挿入口８が設けられ、この挿入口８にプラグ２が差し込まれるようになされている。
【０００７】
９は左右ヘッドホンハウジング１Ｌ、１Ｒ間を結ぶ渡りコードであり。入力信号を左ヘッドホンハウジング１Ｌを介し右ヘッドホンハウジング１Ｒ内のＤＵに供給するためのコードであり、１０はコード巻回手段プラグ側だけにしか持たない場合に、非使用時に緩んで余った渡りコード９の撓みを無くすためのスライダである。
【０００８】
上述のヘッドホン装置は一方のヘッドホンハウジング１Ｌ内のぜんまいによってリール内にプラグ２が先端に付いたプラグ付コード３を巻き込む際にプラグ２が跳ね上がったりして顔などに当たり危険なので予めプラグ２を突出部７の挿入口８に挿入した状態でプラグ付のコード３の巻回を始動させることで危険を防止しようとするものである。
【０００９】
コード巻回手段を左右両側に配した場合は、上述の様な渡りコード９もヘッドホンハウジング１Ｌ、１Ｒ内に収納する様にしたヘッドホン装置は図７に於いて左右ヘッドホンハウジング１Ｌ、１Ｒ内にぜんまい及びリールより成る巻回手段を別々に設け、プラグ付コード３は一方の例えば、左ヘッドホンハウジングに巻回収納し、渡りコード９は右ヘッドハウジング１Ｒに巻回収納するように成されている。
【００１０】
然し、この様に左右ヘッドホンハウジング１Ｌ、１Ｒ内に２個の巻回手段を設けることは機構的又はコスト的にも２倍の部品とコストが掛かるだけでなくユーザがコードを巻回収納する際の手間も２回の操作が必要となる不便さがあった。
【００１１】
更に、この様に左右ヘッドホンハウジング１Ｌ、１Ｒ内に２個の巻回手段を設ける場合は、図８に示す様にプラグ付コード３から例えば、左ヘッドホンハウジング１Ｌ内のＤ／Ｕ１１Ｌへ回転基板６を介して入力(又はステレオヘッドセットのマイクロホンからの出力)された信号を、左右ヘッドホンハウジング１Ｌ、１Ｒを結ぶ渡りコード９を介して、右ヘッドホンハウジング１Ｒ内のＤ／Ｕ１１Ｒに供給するためにこれら小さな左右ヘッドホンハウジング１Ｌ、１Ｒ内で多くの半田処理を行なう必要がある。これらの半田付け作業は小数字１乃至１３で示す様に１３箇所にも及び手作業の不確実性から不良発生の原因として上位を占める問題を有していた。
【００１２】
更に上述の他の種類の一方のヘッドホンハウジング１Ｌ又は１Ｒのみに巻回手段を有し、プラグ付コード３のみ巻回する構成のヘッドホン装置では非使用状態(収納状態)ではプラグ付コード３は左又は右ヘッドホンハウジング１Ｌ又は１Ｒ内に収納されるが渡りコード９はどこにも収納されないので中途半端で邪魔になり利便性を欠くことになる。
【００１３】
【特許文献１】特開２００２−１０３６９号公報(図１)
【発明の開示】
【発明が解決しようとする課題】
【００１４】
本発明は上述の課題を解決するために成されたものであり、プラグ付コード及び渡りコードを１個の巻回手段で同時に巻回収納及び引き出し可能となして機構的にも作業的にも部品点数と手間を少なくしたヘッドホン装置を提供するにある。
【課題を解決するための手段】
【００１５】
本発明のヘッドホン装置は、左右のヘッドホンハウジング内の一方にコード巻取手段を有し、プラグ付コードをコード巻取手段に設けたヘッドハウジング内に巻き取り可能となすと共に左右ヘッドハウジング間を結ぶ渡りコードを有するヘッドホン装置に於いて、ヘッドホンハウジング内に設けたコード巻取手段によってプラグ付コード及び渡りコードを同時に巻回、取出し可能と成したものである。
【発明の効果】
【００１６】
本発明のヘッドホン装置によれば、１個の巻取手段によってプラグ付コード３及び渡りコード９を１タッチ操作でヘッドホンハウジング内に巻回収納可能なため、機構的にも部品点数が少なく、コスト的にも廉価に且つ１タッチで巻回収納及び取り出し可能なヘッドホン装置を得ることができる利点がある。
【発明を実施するための最良の形態】
【００１７】
以下、図面に基づいて本発明の１形態例を説明する。図１（Ａ）（Ｂ）は本発明の１形態例のコード巻回部分を示す平面図および要部の側断面図、図１（Ｃ）は本発明の他の形態例のコード巻回部分を示す要部側断面図、図２（Ａ）（Ｂ）は本発明のヘッドホン装置の外観を示す平面図及び側面図、図３は図２（Ａ）のＡ−Ａ断面矢視図、図４は本発明のヘッドホン装置の２種類のコードを同時に巻回する様に成した配線図、図５は本発明のヘッドホン装置の２種類のコードを同時に巻回する際の渡りコードを連続導体とした場合の配線図、図６は渡りコードの連続導体の作製法を示す説明図である。
【００１８】
図１（Ａ）〜（Ｃ）の説明に先立ち、図２及び図３によって本発明のヘッドホン装置の全体的な構成を説明する。尚、従来の図７及び図８で説明したヘッドホン装置との対応部分には同一符号を付して説明する。
【００１９】
図２（Ａ）（Ｂ）は左右ヘッドホン装置のうちの一方のヘッドホンハウジング１Ｌを示すものであるが、本発明のヘッドホン装置は、図７で説明したと同様に一対の左右ヘッドホンハウジング１Ｌ、１Ｒによって構成されている。
【００２０】
一対の左右ヘッドホンハウジング１Ｌ、１Ｒは、左右対称に構成されているので、内部構造は同じであるので、図２及び図３に基づいて左ヘッドホンハウジング１Ｌのみを以下に説明する。
【００２１】
図３は図２（Ａ）のＡ−Ａ断面矢視図である。図３に於いて、ヘッドホン装置は略円形の基板の前後の周辺に円形リブを設けた中ぐり部１５Ｆ及び１５Ｂが設けられたハウジング１６が合成樹脂等で成型されている。
【００２２】
上述のハウジング１６の前部リブで囲撓された中ぐり部１５Ｆ内にはスピーカ等のＤＵ１１Ｌが配設され、Ｄ／Ｕ１１Ｌの前面には複数の透孔１３の穿たれた合成樹脂等で成型した放音板１２が前部リブ内周に嵌着されている。前部リブ外周にはリング状の発泡性ポリウレタン等でリング状に形成したイヤパット１４が装着されている。
【００２３】
リング状の後部リブで囲撓された中ぐり部１５Ｂ内には、その中心部に枢軸１７が立設され、リング状の回転基板６がハウジング１６の基板部に固定されると共にプラグ付コード３及び渡りコード９を巻回収納するリール１９が枢軸１７に対し、回動自在に枢着されている。このリール１９の下側にはカム２５を円周に形成したカム円盤２４が配設され、更に、リール１９の下端に形成した空間部内にリール１９に巻回したプラグ付コード３及び渡りコード９の一端が接続された接点群を有する。
【００２４】
リール１９内には板バネで構成したぜんまい２０が配設され、リール１９の下面には図２では示していないがカム円盤２４に設けられたカムに係止するラチェット機構（図１Ａ参照）が設けられ、このカムとラチェット機構より成る係止手段を構成する係止解除釦を手等で押圧するとカムとラチェットの係止状態が解除されてぜんまい２０の巻回力によってリール１９のハブの上下に形成した上下フランジ間にプラグ付コード３及び渡りコード９が同時に巻回される様に成されている。尚、図３で２１は後部の中ぐり部１５Ｂを覆う様にドーム状に合成樹脂で成型したハウジングキャップである。
【００２５】
図２（Ａ）（Ｂ）でハウジング１６の外周部に成型した支軸部５に略Ｃ字状に合成樹脂で成型した耳掛け４が回動自在に枢着されている。
【００２６】
更に、ハウジング１６の周辺部に設けた切欠状の開口部２２からプラグ付コード３及び渡りコード９が導出されている。図２（Ａ）の構成では１つの開口部２２から２本のコードを導出する様にしている。この場合、２本のコードを１つの開口部２２から出すため２本のコードの直径の合計以上で且つコードの動きを滑らかにするためコードの開口部２２の径は非常に大きくなるためにデザイン上の制約を生じ、コードに結び玉が出来た時にもハウジング内に入り込み、その他、異物やプラグの滑り込み等を発生する問題があるが、２個の開口部を設けてプラグ付コード３と渡りコード９を別々に導出し、リール１９の異なるハブ間に巻回する様にすれば２本のコードの絡みを防止できると共に、穴が小さくなり上述の問題を除くことができる。
【００２７】
２３は前記したカム円盤２４のカムとラチェット機構の係止を解除して、リール１７内に２本のコード３、９を巻回収納する際に押圧する係止解除釦である。
【００２８】
本発明の全体的な構成は叙上の如く構成されるが、図１（Ａ）〜図１（Ｃ）によって、２本のコードを同時に巻回するリール部分の詳細な構成を説明する。
【００２９】
図１（Ａ）はハウジング１６内に回動自在に枢着されたリール１７の平面図であり、図１（Ｂ）は図１（Ａ）のＢ−Ｂ断面矢視図である。
【００３０】
図１（Ａ）（Ｂ）に於いて、リール１９の下面にはカム円盤２４が設けられ、このカム円盤２４の円周に沿って複数のカム２５が形成されている。ハウジング１６のリング状のリブ２６内の中ぐり部１５Ｂ内には略Ｌ字状に形成したラッチ２７が軸２８を中心に回動可能に枢着され、ラッチ２７の一端はカム円盤のカム２５に沿って当接可能に図示しない偏倚用バネによって偏倚されている。
【００３１】
略Ｌ字状に形成されたラッチ２７の他端には係止解除釦２３が挿着されている。この係止解除釦２３を矢印Ｄ方向に押圧するとカム２５の段部からラッチ２７の先端が外れることでリール１９に内蔵されているぜんまい２０の働きによって２本のプラグ付コード３及び渡りコード９は枢軸１７を中心にリール１９が回転して巻回収納される。
【００３２】
この様にリール１７のハブの上下に形成した上下フランジ２９間の空間部に巻回収納されたプラグ付コード３及び渡りコード９を引き出すには、これら２本のプラグ付コード３及び渡りコード９を図１（Ｂ）に於いて、手等で矢印Ｅ方向に引き出せばラッチ２７は図１（Ａ）でリール１９の枢軸１７を中心に矢印Ｆ方向（反時計方向）にカム２５を乗り越えながら間欠的に引き出すことができる。図１（Ｂ）のリール１７はハブの上下に形成した上下フランジ２９の１つの空間に２種類のプラグ付コード３及び渡りコード９を同時に巻回するためハウジング１６の側壁部に１つの開口部２２を穿った構成であるが、これら２本のプラグ付コード３及び渡りコード９を図１（Ｃ）に示す様に２つの開口部２２Ａ及び２２Ｂから導出し、２重構成のリール１９ａに巻回収納する様にしてもよい。
【００３３】
即ち、図１（Ｃ）に示すリール１９ａはリールのハブに３枚のフランジ２９ａ、２９ｂ、２９ｃを設け第１のフランジ２９ａと第２のフランジ２９ｂ間及び第２のフランジ２９ｂと第３のフランジ２９ｃ間に形成された第１及び第２の空間内にプラグ付コード３及び渡りコード９を２個の開口部２２Ａ及び２２Ｂから夫々別々に導入して巻回収納するように成されている。
【００３４】
図４は図８で説明したと同様の本発明の１つのリール１９、１９ａ内にプラグ付コード３と渡りコード９を同時に巻回する場合の配線図を示すもので、左右のヘッドホンハウジング１１Ｌ及び１１Ｒ内の回転基板６内で半田付けする数は小数字１乃至１１で示す様に１１個所で図８の構成に比べれば２個所少なくすることができる。又、右ヘッドホンハウジング１Ｒ内に挿入するリール１９や回転基板６を無くすことができるので組立工程を大幅に減少させることが可能となる。
【００３５】
図５は、１つのリール１９で２本のコードを巻回収納し、且つプラグ付コード３と渡りコード９を連続した導体（１本の導体）と成した場合の半田付個所を説明するための配線図である。
【００３６】
図６（Ａ）は図７の従来構成で説明したプラグ付コード３を左ヘッドホンハウジング１Ｒ内に巻回収納する場合のプラグ付コード３を左ヘッドホンハウジング１Ｌの中継端子３０を介して小数字４で示す位置で半田付した後に右ヘッドホンハウジング１Ｒ内のＤＵ１１Ｒに入力信号を供給するための渡りコード９を小数字５で示す位置に半田付した後に右ヘッドホンハウジング１１Ｒ内に導入させているが、本例では図６（Ｃ）に示すようにプラグ付コード３の中間部分の被覆３２を剥いで剥離部３１を形成し、この部分を図６（Ｂ）及びＡ部拡大図の図６（Ｅ）に示す様に、回転基板６に小数字６で示す様に半田付すると、図５及び図６（Ｄ）に示す様に回転基板６への半田付位置は小数字５、６で示す２個所で済み、図４の小数字７、８、９で示す半田付位置の半田付を省くことが出来る。
【００３７】
即ち、上述の様な小さなヘッドホンハウジング１Ｌの中ぐり部１５Ｂ内に置かれた回転基板６に対し、図４の小数字５〜９で示す様に５個所もの半田付を行う場合の煩雑性と不良発生につながる原因が除かれて不良率の低減が期待できると共に、プラグ付コード３の導体が切れ目の無い同一部品であるため、伝達ロスによる音質への低減（高音質）及び信頼性向上が期待できるものが得られる。
【産業上の利用可能性】
【００３８】
上述の巻回手段としてはカム円盤とラチェット機構について説明したが、この構成の代りにディスクブレーキ方式、歯車とラチェット方式、爪と爪車、爪と爪冠車等の回転止めの係止手段を適用し得ることは明らかである。リールのフランジを爪車にする等の変更が可能である。又、マイクロホンを有するヘッドホンセットにも勿論適用可能である。
【図面の簡単な説明】
【００３９】
【図１】本発明のヘッドホン装置の１形態例を示すコード巻回手段の要部平面及び側断面図である。
【図２】本発明のヘッドホン装置の１形態例を示す外観正面及び側面図である。
【図３】本発明のヘッドホン装置の１形態例を示す図２（Ｂ）のＡ−Ａ断面矢視図である。
【図４】本発明のヘッドホン装置の１形態例を示す２本のコードを同時に巻回する場合の半田付位置を説明する配線図である。
【図５】本発明のヘッドホン装置の他の形態例を示す２本のコードを同時に巻回する場合に連線導線を用いた半田付位置を説明する配線図である。
【図６】従来のコードを中継端子へ半田付する方法と本発明のコードを回転基板に半田付する方法の説明図である。
【図７】従来のコードを回転基板に半田付する際の半田付回数を説明するための配線図とである。
【図８】従来のヘッドホン装置の外観を示す平面図である。
【符号の説明】
【００４０】
１Ｌ、１Ｒ・・・・左右ヘッドホンハウジング、２・・・・プラグ、３・・・・プラグ付コード、４・・・・耳掛け、５・・・・支軸部、６・・・・回転基板、９・・・・渡りコード、１１Ｌ、１１Ｒ・・・・Ｄ／Ｕ（スピーカ）、１２・・・・放音板、１４・・・・イヤパット、１５Ｆ、１５Ｂ・・・・中ぐり部、１６・・・・ハウジング、１７・・・・枢軸、１９・・・・リール、２０・・・・ぜんまい、２１・・・・ハウジングキャップ、３１・・・・剥離部、３２・・・・被覆
【図１】
2005328480.tif 000003
【図２】
2005328480.tif 000004
【図３】
2005328480.tif 000005
【図４】
2005328480.tif 000006
【図５】
2005328480.tif 000007
【図６】
2005328480.tif 000008
【図７】
2005328480.tif 000009
【図８】
2005328480.tif 000010